【手続補正書】
【提出日】平成26年10月20日(2014.10.20)
【手続補正１】
【補正対象書類名】特許請求の範囲
【補正対象項目名】全文
【補正方法】変更
【補正の内容】
【特許請求の範囲】
【請求項１】
ワイヤレス信号を受信するためのアンテナと、
前記アンテナに結合され、前記アンテナから第１の信号を受信するように構成された、第１のワイヤレスプロトコル回路と、
ここで、前記第１のワイヤレスプロトコル回路は、前記第１のワイヤレスプロトコルに従って前記第１の信号を処理するように構成され、
前記アンテナに結合され、前記アンテナから第２の信号を受信するように構成された、第２のワイヤレスプロトコル回路と、
ここで、前記第２のワイヤレスプロトコル回路が、前記第２のワイヤレスプロトコルに従って前記第２の信号を処理するように構成され、
前記第１のワイヤレスプロトコル回路および前記第２のワイヤレスプロトコル回路によって利用される第１の共有利得要素と、
受信された信号のための飽和イベントを検出するように構成された論理と、ここで、前記論理が、検出された飽和イベントに少なくとも部分的に基づいて前記第１の共有利得要素の利得値を調整するように構成され、
前記論理が、前記第１の信号または前記第２の信号のうちの１つまたは複数の優先順位に少なくとも部分的に基づいて飽和イベントの定義を動的に調整するように構成される
を備える、ワイヤレスデバイス。
【請求項２】
前記論理が、前記第１のワイヤレスプロトコル回路または前記第２のワイヤレスプロトコル回路のうちの１つまたは複数の受信状態に少なくとも部分的に基づいて飽和イベントの前記定義を調整するように構成された、請求項１に記載のワイヤレスデバイス。
【請求項３】
前記論理が、パケットごとに飽和イベントの前記定義を動的に調整するように構成された、請求項１に記載のワイヤレスデバイス。
【請求項４】
前記論理が、
前記第１の共有利得要素の飽和レベルを判断することと、
前記第１および第２のワイヤレスプロトコル回路の現在の受信状態と、前記第１および第２の信号の優先順位とに対応するルックアップテーブル（ＬＵＴ）を判断することであって、前記ＬＵＴが飽和レベルを利得調整値に関連付ける、判断することと、
前記ＬＵＴに少なくとも部分的に基づいて前記判断された飽和レベルに対応する利得調整値を判断することと、
前記判断された利得調整値によって前記第１の共有利得要素の前記利得値を調整することと
を行うように構成された、請求項１に記載のワイヤレスデバイス。
【請求項５】
前記ワイヤレスデバイスが、前記第１および第２のワイヤレスプロトコル回路の様々な可能な受信状態と、前記第１および第２の信号の優先順位とに対応する複数のＬＵＴを備える、請求項４に記載のワイヤレスデバイス。
【請求項６】
前記第１のワイヤレスプロトコルがＷＬＡＮであり、前記第２のワイヤレスプロトコルがＢｌｕｅｔｏｏｔｈである、請求項１に記載のワイヤレスデバイス。
【請求項７】
第１のワイヤレスプロトコルに従って第１の信号を受信することと第２のワイヤレスプロトコルに従って第２の信号を受信することとを同時に行うように構成されたワイヤレスデバイスにおいて無線周波（ＲＦ）飽和を回避するための方法であって、
共有利得要素において信号を受信することと、ここで、前記受信された信号が、前記第１の信号と前記第２の信号とを備える、
前記共有利得要素の飽和レベルを判断することと、
前記第１の信号または前記第２の信号のうちの１つまたは複数の優先順位に少なくとも部分的に基づいて飽和イベントの現在の定義を判断することと、
前記飽和レベルと飽和イベントの前記現在の定義とに少なくとも部分的に基づいて利得調整値を判断することと、
前記判断された利得調整値によって前記共有利得要素の利得値を調整することと
を備える、方法。
【請求項８】
飽和イベントの前記現在の定義を前記判断することが、前記第１の信号または前記第２の信号のうちの１つまたは複数に関する、前記ワイヤレスデバイスの受信状態に少なくとも部分的に基づく、請求項７に記載の方法。
【請求項９】
前記飽和レベルを前記判断することと、飽和イベントの前記現在の定義を前記判断することと、前記利得調整値を前記判断することと、前記利得値を前記調整することとが、パケットごとに実行される、請求項７に記載の方法。
【請求項１０】
前記方法が、
前記第１および第２の信号に関する、前記ワイヤレスデバイスの現在の受信状態と、前記第１および第２の信号の優先順位とに対応するルックアップテーブル（ＬＵＴ）を判断することをさらに備え、前記ＬＵＴが飽和レベルを利得調整値に関連付け、前記判断された利得調整値が、前記判断されたＬＵＴ中の前記判断された飽和レベルに対応する利得調整値である、請求項７に記載の方法。
【請求項１１】
前記判断された前記ＬＵＴが、前記第１および第２の信号に関する、前記ワイヤレスデバイスの様々な可能な受信状態と、前記第１および第２の信号の優先順位とに対応する複数のＬＵＴから選定される、請求項１０に記載の方法。
【請求項１２】
前記第１のワイヤレスプロトコルがＷＬＡＮであり、前記第２のワイヤレスプロトコルがＢｌｕｅｔｏｏｔｈである、請求項７に記載の方法。
【請求項１３】
ワイヤレスデバイスにおいて使用するためのチップであって、ここで、前記ワイヤレスデバイスが、ワイヤレス信号を受信するためのアンテナを備え、前記ワイヤレスデバイスが、第１のワイヤレスプロトコルと第２のワイヤレスプロトコルとを実装するように構成される、
第１の共有利得要素と、ここで、前記第１の共有利得要素が、信号を受信するように構成され、前記受信された信号が、前記第１のワイヤレスプロトコルに従って処理するように構成された第１の信号と前記第２のワイヤレスプロトコルに従って処理するように構成された第２の信号との両方を備える、
受信された信号のための飽和イベントを検出するように構成された論理と、ここで、前記論理が、検出された飽和イベントに少なくとも部分的に基づいて前記第１の共有利得要素の利得値を調整するように構成され、
前記論理が、前記第１の信号または前記第２の信号のうちの１つまたは複数の優先順位に少なくとも部分的に基づいて飽和イベントの定義を動的に調整するように構成される
を備える、チップ。
【請求項１４】
前記ワイヤレスデバイスが、第１の信号を受信し、処理するように構成された第１のワイヤレスプロトコル回路と、第２の信号を受信し、処理するように構成された第２のワイヤレスプロトコル回路とをさらに備え、
前記論理が、前記第１のワイヤレスプロトコル回路または前記第２のワイヤレスプロトコル回路のうちの１つまたは複数の受信状態に少なくとも部分的に基づいて飽和イベントの前記定義を調整するように構成された、請求項１３に記載のチップ。
【請求項１５】
前記チップが前記第１のワイヤレスプロトコル回路を備える、請求項１４に記載のチップ。
【請求項１６】
前記チップが、前記第１のワイヤレスプロトコル回路と前記第２のワイヤレスプロトコル回路の両方を備える、請求項１４に記載のチップ。
【手続補正２】
【補正対象書類名】明細書
【補正対象項目名】００８０
【補正方法】変更
【補正の内容】
【００８０】
上記の実施形態についてかなり詳細に説明してきたが、上記の開示が十分に理解されれば、当業者には、多くの変形形態および修正形態が明らかになろう。以下の特許請求の範囲は、すべてのそのような変形形態と修正形態とを包含すると解釈されるものとする。
以下に本願発明の当初の特許請求の範囲に記載された発明を付記する。
［Ｃ１］  ワイヤレス信号を受信するためのアンテナと、
前記アンテナに結合され、前記アンテナから第１の信号を受信するように構成された、第１のワイヤレスプロトコル回路と、
ここで、前記第１のワイヤレスプロトコル回路は、前記第１のワイヤレスプロトコルに従って前記第１の信号を処理するように構成され、
前記アンテナに結合され、前記アンテナから第２の信号を受信するように構成された、第２のワイヤレスプロトコル回路と、
ここで、前記第２のワイヤレスプロトコル回路が、前記第２のワイヤレスプロトコルに従って前記第２の信号を処理するように構成され、
第１の共有利得要素と、
受信された信号のための飽和イベントを検出するように構成された論理と、ここで、前記論理が、検出された飽和イベントに基づいて前記第１の共有利得要素の利得値を調整するように構成され、
前記論理が、飽和イベントの定義を動的に調整するように構成される
を備える、ワイヤレスデバイス。
［Ｃ２］  前記論理が、前記第１の信号または前記第２の信号のうちの１つまたは複数の優先順位に基づいて飽和イベントの前記定義を調整するように構成された、Ｃ１に記載のワイヤレスデバイス。
［Ｃ３］  前記論理が、前記第１のワイヤレスプロトコル回路または前記第２のワイヤレスプロトコル回路のうちの１つまたは複数の受信状態に基づいて飽和イベントの前記定義を調整するように構成された、Ｃ１に記載のワイヤレスデバイス。
［Ｃ４］  前記論理が、
前記第１のワイヤレスプロトコル回路または前記第２のワイヤレスプロトコル回路のうちの１つまたは複数の受信状態と、
前記第１の信号または前記第２の信号のうちの１つまたは複数の優先順位との両方に基づいて飽和イベントの前記定義を調整するように構成された、Ｃ１に記載のワイヤレスデバイス。
［Ｃ５］  前記論理が、パケットごとに飽和イベントの前記定義を動的に調整するように構成された、Ｃ１に記載のワイヤレスデバイス。
［Ｃ６］  前記論理が、
前記第１の共有利得要素の飽和レベルを判断することと、
前記第１および第２のワイヤレスプロトコル回路の現在の受信状態と、前記第１および第２の信号の優先順位とに対応するルックアップテーブル（ＬＵＴ）を判断することであって、前記ＬＵＴが飽和レベルを利得調整値に関連付ける、判断することと、
前記ＬＵＴに基づいて前記判断された飽和レベルに対応する利得調整値を判断することと、
前記判断された利得調整値によって前記第１の共有利得要素の前記利得値を調整することと
を行うように構成された、Ｃ１に記載のワイヤレスデバイス。
［Ｃ７］  前記ワイヤレスデバイスが、前記第１および第２のワイヤレスプロトコル回路の様々な可能な受信状態と、前記第１および第２の信号の優先順位とに対応する複数のＬＵＴを備える、Ｃ６に記載のワイヤレスデバイス。
［Ｃ８］  前記第１のワイヤレスプロトコルがＷＬＡＮであり、前記第２のワイヤレスプロトコルがＢｌｕｅｔｏｏｔｈである、Ｃ１に記載のワイヤレスデバイス。
［Ｃ９］  第１のワイヤレスプロトコルに従って第１の信号を受信することと第２のワイヤレスプロトコルに従って第２の信号を受信することとを同時に行うように構成されたワイヤレスデバイスにおいて無線周波（ＲＦ）飽和を回避するための方法であって、
共有利得要素において信号を受信することと、ここで、前記受信された信号が、前記第１の信号と前記第２の信号とを備える、
前記共有利得要素の飽和レベルを判断することと、
飽和イベントの現在の定義を判断することと、
前記飽和レベルと飽和イベントの前記現在の定義とに基づいて利得調整値を判断することと、
前記判断された利得調整値によって前記共有利得要素の利得値を調整することと
を備える、方法。
［Ｃ１０］  飽和イベントの前記現在の定義を前記判断することが、前記第１の信号または前記第２の信号のうちの１つまたは複数の優先順位に基づく、Ｃ９に記載の方法。
［Ｃ１１］  飽和イベントの前記現在の定義を前記判断することが、前記第１の信号または前記第２の信号のうちの１つまたは複数に関する、前記ワイヤレスデバイスの受信状態に基づく、Ｃ９に記載の方法。
［Ｃ１２］  飽和イベントの前記現在の定義を前記判断することが、
前記第１の信号または前記第２の信号のうちの１つまたは複数に関する、前記ワイヤレスデバイスの受信状態と、
前記第１の信号または前記第２の信号のうちの１つまたは複数の優先順位との両方に基づく、Ｃ９に記載の方法。
［Ｃ１３］  前記飽和レベルを前記判断することと、飽和イベントの前記現在の定義を前記判断することと、前記利得調整値を前記判断することと、前記利得値を前記調整することとが、パケットごとに実行される、Ｃ９に記載の方法。
［Ｃ１４］  前記方法が、
前記第１および第２の信号に関する、前記ワイヤレスデバイスの現在の受信状態と、前記第１および第２の信号の優先順位とに対応するルックアップテーブル（ＬＵＴ）を判断することをさらに備え、前記ＬＵＴが飽和レベルを利得調整値に関連付け、前記判断された利得調整値が、前記判断されたＬＵＴ中の前記判断された飽和レベルに対応する利得調整値である、Ｃ９に記載の方法。
［Ｃ１５］  前記判断された前記ＬＵＴが、前記第１および第２の信号に関する、前記ワイヤレスデバイスの様々な可能な受信状態と、前記第１および第２の信号の優先順位とに対応する複数のＬＵＴから選定される、Ｃ１４に記載の方法。
［Ｃ１６］  前記第１のワイヤレスプロトコルがＷＬＡＮであり、前記第２のワイヤレスプロトコルがＢｌｕｅｔｏｏｔｈである、Ｃ９に記載の方法。
［Ｃ１７］  ワイヤレスデバイスにおいて使用するためのチップであって、ここで、前記ワイヤレスデバイスが、ワイヤレス信号を受信するためのアンテナを備え、前記ワイヤレスデバイスが、第１のワイヤレスプロトコルと第２のワイヤレスプロトコルとを実装するように構成される、
第１の共有利得要素と、ここで、前記第１の共有利得要素が、信号を受信するように構成され、前記受信された信号が、前記第１のワイヤレスプロトコルに従って処理するように構成された第１の信号と前記第２のワイヤレスプロトコルに従って処理するように構成された第２の信号の両方を備える、
受信された信号のための飽和イベントを検出するように構成された論理と、ここで、前記論理が、検出された飽和イベントに基づいて前記第１の共有利得要素の利得値を調整するように構成され、
前記論理が、飽和イベントの定義を動的に調整するように構成される
を備える、チップ。
［Ｃ１８］  前記ワイヤレスデバイスが、第１の信号を受信し、処理するように構成された第１のワイヤレスプロトコル回路と、第２の信号を受信し、処理するように構成された第２のワイヤレスプロトコル回路とをさらに備え、
前記論理が、
前記第１のワイヤレスプロトコル回路または前記第２のワイヤレスプロトコル回路のうちの１つまたは複数の受信状態、または
前記第１の信号または前記第２の信号のうちの１つまたは複数の優先順位のうちの１つまたは複数に基づいて飽和イベントの前記定義を調整するように構成された、Ｃ１７に記載のチップ。
［Ｃ１９］  前記チップが前記第１のワイヤレスプロトコル回路を備える、Ｃ１８に記載のチップ。
［Ｃ２０］  前記チップが、前記第１のワイヤレスプロトコル回路と前記第２のワイヤレスプロトコル回路の両方を備える、Ｃ１８に記載のチップ。